(57)【特許請求の範囲】
【請求項１】
マルチポート周波数領域リソース位置割り当て情報表示方法であって、前記方法は、
システム帯域幅に応じて、マルチポート周波数領域リソース位置割り当て情報の総ビット数を確定するステップと、
システム帯域幅に応じて、上り周波数領域リソース位置割り当て情報のビット数を確定するステップと、
上り周波数領域リソース位置割り当て情報のビットを、マルチポート周波数領域リソース位置割り当て情報の総ビットの最下位ビットのステータスビットに合わせて配置し、又はマルチポート周波数領域リソース位置割り当て情報の総ビットの最上位ビットのステータスビットに合わせて配置するステップとを含むことを特徴とするマルチポート周波数領域リソース位置割り当て情報表示方法。
【請求項２】
システム帯域幅に応じて、マルチポート周波数領域リソース位置割り当て情報の総ビット数を確定する前記ステップは、
取得されたシステム帯域幅
【化１】
0005503811.tif 000089
が集合｛１１ＲＢ、１２ＲＢ、１６ＲＢ、２７ＲＢ、３２ＲＢ、３３ＲＢ｝に属する場合、  前記マルチポート周波数領域リソース位置割り当て情報の総ビット数が
【化２】
0005503811.tif 000090
であり、
取得されたシステム帯域幅
【化３】
0005503811.tif 000091
が集合｛１１ＲＢ、１２ＲＢ、１６ＲＢ、２７ＲＢ、３２ＲＢ、３３ＲＢ｝に属しない場合、前記マルチポート周波数領域リソース位置割り当て情報の総ビット数が
【化４】
0005503811.tif 000092
であり、前記Ｐはリソースブロックグループ（ＲＢＧ）のサイズであることを含むことを特徴とする
請求項１に記載の前記マルチポート周波数領域リソース位置割り当て情報表示方法。
【請求項３】
システム帯域幅に応じて、マルチポート周波数領域リソース位置割り当て情報の総ビット数を確定する前記ステップは、
前記マルチポート周波数領域リソース位置割り当て情報の総ビット数が上り周波数領域リソース位置割り当て情報を表示することに用いられるだけである場合、前記マルチポート周波数領域リソース位置割り当て情報の総ビット数が
【化５】
0005503811.tif 000093
であり、前記ＰはＲＢＧのサイズであり、前記
【化６】
0005503811.tif 000094
はシステム帯域幅であることを含むことを特徴とする
請求項１に記載の前記マルチポート周波数領域リソース位置割り当て情報表示方法。
【請求項４】
システム帯域幅に応じて、マルチポート周波数領域リソース位置割り当て情報の総ビット数を確定する前記ステップは、
マルチポート周波数領域リソース位置割り当て情報の総ビット数が上り周波数領域リソース位置割り当て情報を表示することに用いられるだけである場合、前記マルチポート周波数領域リソース位置割り当て情報の総ビット数が
【化７】
0005503811.tif 000095
であり、
マルチポート周波数領域リソース位置割り当て情報の総ビット数が上り周波数領域リソース位置割り当て情報を表示することに用いられるだけではない場合、前記マルチポート周波数領域リソース位置割り当て情報の総ビット数が
【化８】
0005503811.tif 000096
であり、前記ＰはＲＢＧのサイズであり、前記
【化９】
0005503811.tif 000097
はシステム帯域幅であり、n＞２であることを含むことを特徴とする
請求項１に記載の前記マルチポート周波数領域リソース位置割り当て情報表示方法。
【請求項５】
前記上り周波数領域リソース位置割り当て情報のビット数がシングルバンドル上り周波数領域リソース位置割り当て情報のビット数である場合、システム帯域幅に応じて、確定されたシングルバンドル上り周波数領域リソース位置割り当て情報のビット数は、
【化１０】
0005503811.tif 000098
であり、前記
【化１１】
0005503811.tif 000099
がシステム帯域幅であることを特徴とする
請求項１〜４のいずれか１項に記載の前記マルチポート周波数領域リソース位置割り当て情報表示方法。
【請求項６】
マルチポート周波数領域リソース位置割り当て情報の表示装置であって、前記装置は、
システム帯域幅に応じて、マルチポート周波数領域リソース位置割り当て情報の総ビット数を確定することに用いられる第１の確定モジュールと、
システム帯域幅に応じて、上り周波数領域リソース位置割り当て情報のビット数を確定することに用いられる第２の確定モジュールと、
上り周波数領域リソース位置割り当て情報のビットを、マルチポート周波数領域リソース位置割り当て情報の総ビットの最下位ビットのステータスビットに合わせて配置し、又はマルチポート周波数領域リソース位置割り当て情報の総ビットの最上位ビットのステータスビットに合わせて配置することに用いられる表示モジュールとを含むことを特徴とする
マルチポート周波数領域リソース位置割り当て情報の表示装置。
【請求項７】
前記第１の確定モジュールは、さらに、取得されたシステム帯域幅
【化１２】
0005503811.tif 000100
が集合｛１１ＲＢ、１２ＲＢ、１６ＲＢ、２７ＲＢ、３２ＲＢ、３３ＲＢ｝に属する場合、システム帯域幅に応じて、前記マルチポート周波数領域リソース位置割り当て情報の総ビット数が
【化１３】
0005503811.tif 000101
であることを確定することに用いられ、
前記第１の確定モジュールは、さらに、取得されたシステム帯域幅
【化１４】
0005503811.tif 000102
が集合｛１１ＲＢ、１２ＲＢ、１６ＲＢ、２７ＲＢ、３２ＲＢ、３３ＲＢ｝に属しない場合、システム帯域幅に応じて、前記マルチポート周波数領域リソース位置割り当て情報の総ビット数が
【化１５】
0005503811.tif 000103
であることを確定することに用いられ、前記ＰはＲＢＧのサイズであることを特徴とする
請求項６に記載の前記マルチポート周波数領域リソース位置割り当て情報の表示装置。
【請求項８】
前記第１の確定モジュールは、さらに、前記マルチポート周波数領域リソース位置割り当て情報の総ビット数が上り周波数領域リソース位置割り当て情報を表示することに用いられるだけである場合、システム帯域幅に応じて、前記マルチポート周波数領域リソース位置割り当て情報の総ビット数が
【化１６】
0005503811.tif 000104
であることを確定することに用いられ、前記ＰはＲＢＧのサイズであり、前記
【化１７】
0005503811.tif 000105
はシステム帯域幅であることを特徴とする
請求項６に記載の前記マルチポート周波数領域リソース位置割り当て情報の表示装置。
【請求項９】
前記第１の確定モジュールは、さらに、マルチポート周波数領域リソース位置割り当て情報の総ビット数が上り周波数領域リソース位置割り当て情報を表示することに用いられるだけである場合、システム帯域幅に応じて、前記マルチポート周波数領域リソース位置割り当て情報の総ビット数が
【化１８】
0005503811.tif 000106
であることを確定することに用いられ、
前記第１の確定モジュールは、さらに、マルチポート周波数領域リソース位置割り当て情報の総ビット数が上り周波数領域リソース位置割り当て情報を表示することに用いられるだけではない場合、システム帯域幅に応じて、前記マルチポート周波数領域リソース位置割り当て情報の総ビット数が
【化１９】
0005503811.tif 000107
であることを確定することに用いられ、
前記ＰはＲＢＧのサイズであり、前記
【化２０】
0005503811.tif 000108
はシステム帯域幅であり、n＞２であることを特徴とする
請求項６に記載の前記マルチポート周波数領域リソース位置割り当て情報の表示装置。
【請求項１０】
前記第２の確定モジュールは、さらに、システム帯域幅に応じて、シングルバンドル上り周波数領域リソース位置割り当て情報のビット数が
【化２１】
0005503811.tif 000109
であることを確定することに用いられ、前記
【化２２】
0005503811.tif 000110
はシステム帯域幅であることを特徴とする
請求項６〜９のいずれか１項に記載の前記マルチポート周波数領域リソース位置割り当て情報の表示装置。
【請求項１１】
端末であって、前記端末は、
ネットワーク側から送信されたマルチポート周波数領域リソース位置割り当て情報を受信することに用いられる受信モジュールと、
システム帯域幅に応じて、前記マルチポート周波数領域リソース位置割り当て情報の総ビット数を確定することに用いられる第１の復調モジュールと、
システム帯域幅に応じて、上り周波数領域リソース位置割り当て情報のビット数を確定することに用いられる第２の復調モジュールと、
上り周波数領域リソース位置割り当て情報のビットを、マルチポート周波数領域リソース位置割り当て情報の総ビットの最下位ビットのステータスビットに合わせ、又はマルチポート周波数領域リソース位置割り当て情報の総ビットの最上位ビットのステータスビットに合わせる方式に従って、受信モジュールにより受信された前記マルチポート周波数領域リソース位置割り当て情報から上り周波数領域リソース位置割り当て情報を取得することに用いられる第３の復調モジュールとを含むことを特徴とする端末。
【請求項１２】
前記第３の復調モジュールは、さらに、上り周波数領域リソース位置割り当て情報のビットを、マルチポート周波数領域リソース位置割り当て情報の総ビットの最下位ビットのステータスビットに合わせる方式に従って、前記マルチポート周波数領域リソース位置割り当て情報の総ビット数のうちの最下位ビット側から、上り周波数領域リソース位置割り当て情報のビット数に応じて、上り周波数領域リソース位置割り当て情報を取得することに用いられ、
前記第３の復調モジュールは、さらに、上り周波数領域リソース位置割り当て情報のビットを、マルチポート周波数領域リソース位置割り当て情報の総ビットの最上位ビットのステータスビットに合わせる方式に従って、前記マルチポート周波数領域リソース位置割り当て情報の総ビット数における最上位ビット側から、上り周波数領域リソース位置割り当て情報のビット数に応じて、上り周波数領域リソース位置割り当て情報を取得することに用いられることを特徴とする
請求項１１に記載の端末。
【請求項１３】
前記第１の復調モジュールは、さらに、システム帯域幅
【化２３】
0005503811.tif 000111
が集合｛１１ＲＢ、１２ＲＢ、１６ＲＢ、２７ＲＢ、３２ＲＢ、３３ＲＢ｝に属する場合、システム帯域幅に応じて、前記マルチポート周波数領域リソース位置割り当て情報の総ビット数が
【化２４】
0005503811.tif 000112
であることを確定することに用いられ、
前記第１の復調モジュールは、さらに、システム帯域幅
【化２５】
0005503811.tif 000113
が集合｛１１ＲＢ、１２ＲＢ、１６ＲＢ、２７ＲＢ、３２ＲＢ、３３ＲＢ｝に属しない場合、システム帯域幅に応じて、前記マルチポート周波数領域リソース位置割り当て情報の総ビット数が
【化２６】
0005503811.tif 000114
であることを確定することに用いられ、前記ＰはＲＢＧのサイズであることを特徴とする
請求項１１に記載の端末。
【請求項１４】
前記第１の復調モジュールは、さらに、前記マルチポート周波数領域リソース位置割り当て情報の総ビット数が上り周波数領域リソース位置割り当て情報を表示することに用いられるだけである場合、システム帯域幅に応じて、前記マルチポート周波数領域リソース位置割り当て情報の総ビット数が
【化２７】
0005503811.tif 000115
であることを確定することに用いられ、前記ＰはＲＢＧのサイズであり、前記
【化２８】
0005503811.tif 000116
はシステム帯域幅であることを特徴とする
請求項１１に記載の端末。
【請求項１５】
前記第１の復調モジュールは、さらに、マルチポート周波数領域リソース位置割り当て情報の総ビット数が上り周波数領域リソース位置割り当て情報を表示することに用いられるだけである場合、システム帯域幅に応じて、前記マルチポート周波数領域リソース位置割り当て情報の総ビット数が
【化２９】
0005503811.tif 000117
であることを確定することに用いられ、
前記第１の復調モジュールは、さらに、マルチポート周波数領域リソース位置割り当て情報の総ビット数が上り周波数領域リソース位置割り当て情報を表示することに用いられるだけではない場合、システム帯域幅に応じて、前記マルチポート周波数領域リソース位置割り当て情報の総ビット数が
【化３０】
0005503811.tif 000118
であることを確定することに用いられ、
前記ＰはＲＢＧのサイズであり、前記
【化３１】
0005503811.tif 000119
はシステム帯域幅であり、n＞２であることを特徴とする
請求項１１に記載の端末。
【請求項１６】
前記第２の復調モジュールは、さらに、システム帯域幅に応じて、シングルバンドル上り周波数領域リソース位置割り当て情報のビット数が
【化３２】
0005503811.tif 000120
であることを確定することに用いられ、前記
【化３３】
0005503811.tif 000121
はシステム帯域幅であることを特徴とする
請求項１１〜１５のいずれか１項に記載の端末。
【発明の詳細な説明】
【技術分野】
【０００１】
本発明は、移動通信分野に関し、特に、マルチポート周波数領域リソース位置割り当て情報の表示方法、装置及び端末に関する。
【背景技術】
【０００２】
第３世代パートナーシッププロジェクト（３ＧＰＰ：The ３rd Generation Partnership Project）ロング・ターム・エボリューション（ＬＴＥ：Long Term Evolution）の周波数分割多重システムでは、単一アンテナを上り物理チャンネルとして用いてデータを送信し、かつリソースが連続的に割り当てられることにより、上りデータの送信レートが制限されるのは、リソースが、システム帯域幅に複数のサブバンドがあるような場合に自由に利用できないためである。
【０００３】
従来のシステムに比べると、高度な国際移動通信（ＩＭＴ−Ａｄｖａｎｃｅｄ）システムでは、より高いデータレート及びより大きいシステム容量の要求が提案されている。ＩＭＴ−Ａｄｖａｎｃｅｄの要求を満たすために、ＬＴＥの発展標準とするロング・ターム・エボリューション・アドバンスト（ＬＴＥ−Ａ）において上り非連続リソース割り当て技術が提案され、当該技術により、ＩＭＴ−Ａｄｖａｎｃｅｄシステムのスペクトル利用率を向上できる。
【０００４】
同時に、ＬＴＥ−Ａでは、ＩＭＴ−Ａｄｖａｎｃｅｄの上り伝送レートの要求を満たすために、マルチポートの伝送モードが提案され、上りパスバックの数が複数の伝送ブロックをサポートできる。現在の検討によると、ＬＴＥ−Ａシステムの上りにおいて、ＵＥは、２つの伝送ブロックの同時送信を最大限にサポートできる。
【０００５】
デジタル通信システムの迅速な発展のため、データ通信の信頼性に対する要求がより高くなるが、劣悪なチャネルでは、マルチパス干渉及びドップラーシフトなどがシステムの性能に深刻な影響を及ぼす。そのため、端末の高データレートの要求に適応し、データ伝送時に正しく受信する確率を向上するようにするために、上り送信時、リソース割り当てに関してマルチポートでのリソース割り当てという考えが生まれた。
【０００６】
従来のＬＴＥシステムでは、マルチポートでの上りサブフレームの周波数領域リソース位置割り当て情報を指示するために必要な総ビット数が
【化１】
0005503811.tif 000002
である。ここで、
【化２】
0005503811.tif 000003
は上りシステム帯域幅を表し、Ｐはリソースブロックグループ（ＲＢＧ：Resource Block Group）のサイズを表し、Ｐの値は表１に示すように、
【化３】
0005503811.tif 000004
に依存する。
【０００７】
【表１】
0005503811.tif 000005
【０００８】
しかしながら、従来方法に提供されたマルチポート周波数領域リソース位置割り当て情報の総ビット数は、マルチバンドル（ｍｕｌｔｉ−ｃｌｕｓｔｅｒ）上りリソース位置割り当て情報を表示できるが、ある帯域幅でシングルバンドル（ｓｉｎｇｌｅ−ｃｌｕｓｔｅｒ）上り周波数領域リソース位置割り当て情報の表示をするためには不足している場合もある。例えば、システム帯域幅が１１ＲＢ、１２ＲＢ、１６ＲＢ、２７ＲＢ、３２ＲＢ、３３ＲＢである場合、従来のＬＴＥ技術におけるマルチポート周波数領域リソース位置割り当て情報の総ビット数は、それぞれ６、６、７、８、９、９である。このとき、シングルバンドルを用いて周波数領域リソース位置割り当て情報を表示すれば、該当する帯域幅での総ビット数はそれぞれ７、７、８、９、１０、１０である必要がある。
【発明の概要】
【発明が解決しようとする課題】
【０００９】
これに鑑み、本発明の主な目的は、上り伝送時にあるシステム帯域幅でマルチポート周波数領域リソース位置割り当て情報の総ビット数がシングルバンドル上り周波数領域リソース位置割り当て情報の表示をするためには不足している問題を解決できるマルチポート周波数領域リソース位置割り当て情報の表示方法、装置及び端末を提供することにある。
【課題を解決するための手段】
【００１０】
上記目的を達成するために、本発明の技術案は、以下のように実現される。
本発明に係るマルチポート周波数領域リソース位置割り当て情報の表示方法は、
システム帯域幅に応じて、マルチポート周波数領域リソース位置割り当て情報の総ビット数を確定するステップと、
システム帯域幅に応じて、上り周波数領域リソース位置割り当て情報のビット数を確定するステップと、
上り周波数領域リソース位置割り当て情報のビットを、マルチポート周波数領域リソース位置割り当て情報の総ビットの最下位ビットのステータスビットに合わせて配置し、又はマルチポート周波数領域リソース位置割り当て情報の総ビットの最上位ビットのステータスビットに合わせて配置するステップとを含む。
【００１１】
ここで、システム帯域幅に応じて、マルチポート周波数領域リソース位置割り当て情報の総ビット数を確定する前記ステップは、
取得されたシステム帯域幅
【化４】
0005503811.tif 000006
が集合｛１１ＲＢ、１２ＲＢ、１６ＲＢ、２７ＲＢ、３２ＲＢ、３３ＲＢ｝に属する場合、  前記マルチポート周波数領域リソース位置割り当て情報の総ビット数が
【化５】
0005503811.tif 000007
であり、
取得されたシステム帯域幅
【化６】
0005503811.tif 000008
が集合｛１１ＲＢ、１２ＲＢ、１６ＲＢ、２７ＲＢ、３２ＲＢ、３３ＲＢ｝に属しない場合、前記マルチポート周波数領域リソース位置割り当て情報の総ビット数が
【化７】
0005503811.tif 000009
であり、
前記Ｐはリソースブロックグループ（ＲＢＧ）のサイズであることを含む。
【００１２】
システム帯域幅に応じて、マルチポート周波数領域リソース位置割り当て情報の総ビット数を確定する前記ステップは、
前記マルチポート周波数領域リソース位置割り当て情報の総ビット数が上り周波数領域リソース位置割り当て情報を表示することに用いられるだけである場合、前記マルチポート周波数領域リソース位置割り当て情報の総ビット数が
【化８】
0005503811.tif 000010
であり、
前記ＰはＲＢＧのサイズであり、前記
【化９】
0005503811.tif 000011
はシステム帯域幅であることを含む。
【００１３】
システム帯域幅に応じて、マルチポート周波数領域リソース位置割り当て情報の総ビット数を確定する前記ステップは、
マルチポート周波数領域リソース位置割り当て情報の総ビット数が上り周波数領域リソース位置割り当て情報を表示することに用いられるだけである場合、前記マルチポート周波数領域リソース位置割り当て情報の総ビット数が
【化１０】
0005503811.tif 000012
であり、
マルチポート周波数領域リソース位置割り当て情報の総ビット数が上り周波数領域リソース位置割り当て情報を表示することに用いられるだけではない場合、前記マルチポート周波数領域リソース位置割り当て情報の総ビット数が
【化１１】
0005503811.tif 000013
であり、
前記ＰはＲＢＧのサイズであり、前記
【化１２】
0005503811.tif 000014
はシステム帯域幅であり、n>２であることを含む。
【００１４】
前記上り周波数領域リソース位置割り当て情報のビット数がシングルバンドル上り周波数領域リソース位置割り当て情報のビット数である場合、システム帯域幅に応じて、確定されたシングルバンドル上り周波数領域リソース位置割り当て情報のビット数が
【化１３】
0005503811.tif 000015
であり、
前記
【化１４】
0005503811.tif 000016
はシステム帯域幅である。
【００１５】
本発明に係るマルチポート周波数領域リソース位置割り当て情報の表示装置は、
システム帯域幅に応じて、マルチポート周波数領域リソース位置割り当て情報の総ビット数を確定することに用いられる第１の確定モジュールと、
システム帯域幅に応じて、上り周波数領域リソース位置割り当て情報のビット数を確定することに用いられる第２の確定モジュールと、
上り周波数領域リソース位置割り当て情報のビットを、マルチポート周波数領域リソース位置割り当て情報の総ビットの最下位ビットのステータスビットに合わせて配置し、又はマルチポート周波数領域リソース位置割り当て情報の総ビットの最上位ビットのステータスビットに合わせて配置させることに用いられる表示モジュールとを含む。
【００１６】
ここで、前記第１の確定モジュールは、さらに、取得されたシステム帯域幅
【化１５】
0005503811.tif 000017
が集合｛１１ＲＢ、１２ＲＢ、１６ＲＢ、２７ＲＢ、３２ＲＢ、３３ＲＢ｝に属する場合、システム帯域幅に応じて、前記マルチポート周波数領域リソース位置割り当て情報の総ビット数が
【化１６】
0005503811.tif 000018
であることを確定することに用いられ、
前記第１の確定モジュールは、さらに、取得されたシステム帯域幅
【化１７】
0005503811.tif 000019
が集合｛１１ＲＢ、１２ＲＢ、１６ＲＢ、２７ＲＢ、３２ＲＢ、３３ＲＢ｝に属しない場合、システム帯域幅に応じて、前記マルチポート周波数領域リソース位置割り当て情報の総ビット数が
【化１８】
0005503811.tif 000020
であることを確定することに用いられ、前記ＰはＲＢＧのサイズである。
【００１７】
前記第１の確定モジュールは、さらに、前記マルチポート周波数領域リソース位置割り当て情報の総ビット数が上り周波数領域リソース位置割り当て情報を表示することに用いられるだけである場合、システム帯域幅に応じて、前記マルチポート周波数領域リソース位置割り当て情報の総ビット数が
【化１９】
0005503811.tif 000021
であることを確定することに用いられ、前記ＰはＲＢＧのサイズであり、前記
【化２０】
0005503811.tif 000022
はシステム帯域幅である。
【００１８】
前記第１の確定モジュールは、さらに、マルチポート周波数領域リソース位置割り当て情報の総ビット数が上り周波数領域リソース位置割り当て情報を表示することに用いられるだけである場合、システム帯域幅に応じて、前記マルチポート周波数領域リソース位置割り当て情報の総ビット数が
【化２１】
0005503811.tif 000023
であることを確定することに用いられ、
前記第１の確定モジュールは、さらに、マルチポート周波数領域リソース位置割り当て情報の総ビット数が上り周波数領域リソース位置割り当て情報を表示することに用いられるだけではない場合、システム帯域幅に応じて、前記マルチポート周波数領域リソース位置割り当て情報の総ビット数が
【化２２】
0005503811.tif 000024
であることを確定することに用いられ、
前記ＰはＲＢＧのサイズであり、前記
【化２３】
0005503811.tif 000025
はシステム帯域幅であり、n＞２である。
【００１９】
前記第２の確定モジュールは、さらに、システム帯域幅に応じて、シングルバンドル上り周波数領域リソース位置割り当て情報のビット数が
【化２４】
0005503811.tif 000026
であることを確定することに用いられ、前記
【化２５】
0005503811.tif 000027
はシステム帯域幅である。
【００２０】
本発明に係る端末は、
ネットワーク側から送信されたマルチポート周波数領域リソース位置割り当て情報を受信することに用いられる受信モジュールと、
システム帯域幅に応じて、前記マルチポート周波数領域リソース位置割り当て情報の総ビット数を確定することに用いられる第１の復調モジュールと、
システム帯域幅に応じて、上り周波数領域リソース位置割り当て情報のビット数を確定することに用いられる第２の復調モジュールと、
上り周波数領域リソース位置割り当て情報のビットを、マルチポート周波数領域リソース位置割り当て情報の総ビットの最下位ビットのステータスビットに合わせ、又はマルチポート周波数領域リソース位置割り当て情報の総ビットの最上位ビットのステータスビットに合わせる方式に従って、受信モジュールにより受信された前記マルチポート周波数領域リソース位置割り当て情報から上り周波数領域リソース位置割り当て情報を取得することに用いられる第３の復調モジュールとを含む。
【００２１】
前記第３の復調モジュールは、さらに、上り周波数領域リソース位置割り当て情報のビットを、マルチポート周波数領域リソース位置割り当て情報の総ビットの最下位ビットのステータスビットに合わせる方式に従って、前記マルチポート周波数領域リソース位置割り当て情報の総ビット数のうちの最下位ビット側から、上り周波数領域リソース位置割り当て情報のビット数に応じて上り周波数領域リソース位置割り当て情報を取得することに用いられ、
前記第３の復調モジュールは、さらに、上り周波数領域リソース位置割り当て情報のビットを、マルチポート周波数領域リソース位置割り当て情報の総ビットの最上位ビットのステータスビットに合わせる方式に従って、前記マルチポート周波数領域リソース位置割り当て情報の総ビット数のうちの最上位ビット側から、上り周波数領域リソース位置割り当て情報のビット数に応じて上り周波数領域リソース位置割り当て情報を取得することに用いられる。
【００２２】
前記第１の復調モジュールは、さらに、システム帯域幅
【化２６】
0005503811.tif 000028
が集合｛１１ＲＢ、１２ＲＢ、１６ＲＢ、２７ＲＢ、３２ＲＢ、３３ＲＢ｝に属する場合、システム帯域幅に応じて、前記マルチポート周波数領域リソース位置割り当て情報の総ビット数が
【化２７】
0005503811.tif 000029
であることを確定することに用いられ、
前記第１の復調モジュールは、さらに、システム帯域幅
【化２８】
0005503811.tif 000030
が集合｛１１ＲＢ、１２ＲＢ、１６ＲＢ、２７ＲＢ、３２ＲＢ、３３ＲＢ｝に属しない場合、システム帯域幅に応じて、前記マルチポート周波数領域リソース位置割り当て情報の総ビット数が
【化２９】
0005503811.tif 000031
であることを確定することに用いられ、前記ＰはＲＢＧのサイズである。
【００２３】
前記第１の復調モジュールは、さらに、前記マルチポート周波数領域リソース位置割り当て情報の総ビット数が上り周波数領域リソース位置割り当て情報を表示することに用いられるだけである場合、システム帯域幅に応じて、前記マルチポート周波数領域リソース位置割り当て情報の総ビット数が
【００２４】
【化３０】
0005503811.tif 000032
であることを確定することに用いられ、ここで、前記ＰはＲＢＧのサイズであり、前記
【化３１】
0005503811.tif 000033
はシステム帯域幅である。
【００２５】
前記第１の復調モジュールは、さらに、マルチポート周波数領域リソース位置割り当て情報の総ビット数が上り周波数領域リソース位置割り当て情報を表示することに用いられるだけである場合、システム帯域幅に応じて、前記マルチポート周波数領域リソース位置割り当て情報の総ビット数が
【化３２】
0005503811.tif 000034
であることを確定することに用いられ、
前記第１の復調モジュールは、さらに、マルチポート周波数領域リソース位置割り当て情報の総ビット数が上り周波数領域リソース位置割り当て情報を表示することに用いられるだけではない場合、システム帯域幅に応じて、前記マルチポート周波数領域リソース位置割り当て情報の総ビット数が
【化３３】
0005503811.tif 000035
であることを確定することに用いられ、
前記ＰはＲＢＧのサイズであり、前記
【化３４】
0005503811.tif 000036
はシステム帯域幅であり、n＞２である。
【００２６】
前記第２の復調モジュールは、さらに、システム帯域幅に応じて、シングルバンドル上り周波数領域リソース位置割り当て情報のビット数が
【化３５】
0005503811.tif 000037
であることを確定することに用いられ、ここで、前記
【化３６】
0005503811.tif 000038
はシステム帯域幅である。
【００２７】
本発明に係るマルチポート周波数領域リソース位置割り当て情報の表示方法において、先ずシステム帯域幅に応じて、マルチポート周波数領域リソース位置割り当て情報の総ビット数を確定し、次にシステム帯域幅に応じて、（シングルバンドルまたはマルチバンドル）上り周波数領域リソース位置割り当て情報のビット数を確定し、その後でシングルバンドル上り周波数領域リソース位置割り当て情報のビットを、マルチポート周波数領域リソース位置割り当て情報の総ビットの最下位ビットのステータスビットに合わせて配置し、又はマルチポート周波数領域リソース位置割り当て情報の総ビットの最上位ビットのステータスビットに合わせて配置する。このようにして、上り伝送時にある帯域幅でマルチポート周波数領域リソース位置割り当て情報のビット数がシングルバンドルリソース位置割り当て情報の表示するために不足している問題を解決でき、同時に、上記方法は、マルチバンドルリソース位置割り当て情報の表示にも用いられる。
【図面の簡単な説明】
【００２８】
【図１】本発明に係るマルチポート周波数領域リソース位置割り当て情報表示方法のフローチャートである。
【図２】本発明に係る実施形態１におけるマルチポート周波数領域リソース位置割り当て情報表示方法のフローチャートである。
【図３】本発明に係る実施形態２におけるマルチポート周波数領域リソース位置割り当て情報表示方法のフローチャートである。
【図４】本発明に係る実施形態３におけるマルチポート周波数領域リソース位置割り当て情報表示方法のフローチャートである。
【図５】本発明に係るマルチポート周波数領域リソース位置割り当て情報の表示装置の構成を示す図である。
【発明を実施するための形態】
【００２９】
本発明は、従来のＬＴＥ技術を合せて、上り伝送時にあるシステム帯域幅でマルチポート周波数領域リソース位置割り当て情報のビット数がシングルバンドル上り周波数領域リソース位置割り当て情報の表示するために不足している場合について、マルチポート周波数領域リソース位置割り当て情報の表示方法が提供され、図１に示すように、以下のステップを含む。
【００３０】
ステップ１０１において、システム帯域幅に応じて、マルチポート周波数領域リソース位置割り当て情報の総ビット数を確定する。
【００３１】
ステップ１０２において、システム帯域幅に応じて、上り周波数領域リソース位置割り当て情報のビット数を確定する。
【００３２】
ステップ１０３において、上り周波数領域リソース位置割り当て情報のビットを、マルチポート周波数領域リソース位置割り当て情報の総ビットの最下位ビットのステータスビットに合わせて配置し、又はマルチポート周波数領域リソース位置割り当て情報の総ビットの最上位ビットのステータスビットに合わせて配置する。
【００３３】
本発明において、上り周波数領域リソース位置割り当て情報は、シングルバンドルとマルチバンドルを含む。
【００３４】
以下、シングルバンドル上り周波数領域リソース位置割り当て情報の表示を例として本発明の技術案を説明する。
【００３５】
実施形態１
【化３７】
0005503811.tif 000039
個のビットを用いてシングルバンドル上り周波数領域リソース位置割り当て情報を表示する。しかし、システム帯域幅が１１ＲＢ、１２ＲＢ、１６ＲＢ、２７ＲＢ、３２ＲＢ、３３ＲＢである場合、
【化３８】
0005503811.tif 000040
個のビットを用いてシングルバンドル上り周波数領域リソース位置割り当て情報を表示し、例えば、図２に示すように、具体的に、以下の内容を含む。
【００３６】
ステップ２０１において、ＬＴＥシステムのシステム帯域幅
【化３９】
0005503811.tif 000041
を取得する。当該ステップの実現は、従来技術であるので、ここで贅言しない。
【００３７】
ステップ２０２において、基地局によって許可された端末がマルチポートシングルバンドル（ｓｉｎｇｌｅ−ｃｌｕｓｔｅｒ）を用いてデータを送信するかどうかを判断し、肯定である場合、ステップ２０３に移行し、否定である場合マルチポートシングルバンドルリソース割り当てモードから退出する。
【００３８】
ステップ２０３において、システム帯域幅
【化４０】
0005503811.tif 000042
が集合｛１１ＲＢ、１２ＲＢ、１６ＲＢ、２７ＲＢ、３２ＲＢ、３３ＲＢ｝範囲に属するかどうかを判断し、肯定である場合、ステップ２０４に移行し、否定である場合２０５に移行する。
【００３９】
ステップ２０４において、システム帯域幅
【化４１】
0005503811.tif 000043
が集合｛１１ＲＢ、１２ＲＢ、１６ＲＢ、２７ＲＢ、３２ＲＢ、３３ＲＢ｝に属する場合、端末が上り伝送を行なう場合に、マルチポート周波数領域リソース位置割り当て情報の総ビット数が
【化４２】
0005503811.tif 000044
であり、ステップ２０６に移行する。
【００４０】
ステップ２０５において、システム帯域幅
【化４３】
0005503811.tif 000045
が集合｛１１ＲＢ、１２ＲＢ、１６ＲＢ、２７ＲＢ、３２ＲＢ、３３ＲＢ｝に属しない場合、端末が上り伝送を行なう場合に、マルチポート周波数領域リソース位置割り当て情報の総ビット数が
【化４４】
0005503811.tif 000046
であり、ステップ２０６に移行する。
【００４１】
ステップ２０６において、基地局は、システム帯域幅に応じて、シングルバンドル上り周波数領域リソース位置割り当て情報のビット数（即ち、シングルバンドル上り周波数領域リソース位置割り当て情報が実際に占めるビット数）が
【化４５】
0005503811.tif 000047
であることを確定する。
【００４２】
シングルバンドル上り周波数領域リソース位置割り当て情報のビットを、マルチポート周波数領域リソース位置割り当て情報の総ビットの最下位ビットのステータス（ＬＢＳ）ビット又はマルチポート周波数領域リソース位置割り当て情報の総ビットの最上位ビットのステータス（ＭＢＳ）ビットに合わせて配置する。具体的な位置は、基地局及び端末により共同で約束される。
【００４３】
例えば、マルチポート周波数領域リソース位置割り当て情報の総ビット数が５ビットである場合、シングルバンドル上り周波数領域リソース位置割り当て情報のビット数は、４ビット１１１１である。シングルバンドル上り周波数領域リソース位置割り当て情報のビットがマルチポート周波数領域リソース位置割り当て情報の総ビットの最下位ビットのステータスビットに合わせて配置される場合、シングルバンドル上り周波数領域リソース位置割り当て情報は、０１１１１である。シングルバンドル上り周波数領域リソース位置割り当て情報のビットがマルチポート周波数領域リソース位置割り当て情報の総ビットの最上位ビットのステータスビットに合わせて配置される場合、シングルバンドル上り周波数領域リソース位置割り当て情報は、１１１１０である。
【００４４】
実施形態２
【化４６】
0005503811.tif 000048
個のビットを用いてシングルバンドル上り周波数領域リソース位置割り当て情報を表示し、図３に示すように、具体的に以下のステップを含む。
【００４５】
ステップ３０１において、ＬＴＥシステムのシステム帯域幅
【化４７】
0005503811.tif 000049
を取得する。
【００４６】
ステップ３０２において、基地局によって許可された端末がマルチポートシングルバンドル（ｓｉｎｇｌｅ−ｃｌｕｓｔｅｒ）を用いてデータを送信するかどうかを判断し、肯定である場合、ステップ３０３に移行し、否定である場合マルチポートシングルバンドルリソース割り当てモードから退出する。
【００４７】
ステップ３０３において、マルチポート周波数領域リソース位置割り当て情報の総ビット数がシングルバンドル上り周波数領域リソース位置割り当て情報を表示することに用いられるだけである場合、マルチポート周波数領域リソース位置割り当て情報の総ビット数は、
【化４８】
0005503811.tif 000050
である。
【００４８】
ステップ３０４において、基地局は、システム帯域幅に応じて、シングルバンドル上り周波数領域リソース位置割り当て情報のビット数が
【化４９】
0005503811.tif 000051
であることを確定し、
シングルバンドル上り周波数領域リソース位置割り当て情報のビットを、マルチポート周波数領域リソース位置割り当て情報の総ビットの最下位ビットのステータスビットに合わせて配置し、又はマルチポート周波数領域リソース位置割り当て情報の総ビットの最上位ビットのステータスビットに合わせて配置する。具体的な位置は、基地局及び端末により共同で約束される。
【００４９】
実施形態３
【化５０】
0005503811.tif 000052
個のビットを用いてシングルバンドル上り周波数領域リソース位置割り当て情報を表示し、ここでn>=２、図４に示すように、以下のステップを含む。
【００５０】
ステップ４０１において、ＬＴＥシステムのシステム帯域幅
【化５１】
0005503811.tif 000053
を取得する。
【００５１】
ステップ４０２において、基地局によって許可された端末がマルチポートシングルバンドル（ｓｉｎｇｌｅ−ｃｌｕｓｔｅｒ）を用いてデータを送信するかどうかを判断し、肯定である場合、ステップ４０３に移行し、否定である場合マルチポートシングルバンドルリソース割り当てモードから退出する。
【００５２】
ステップ４０３において、マルチポート周波数領域リソース位置割り当て情報の総ビット数がシングルバンドル上り周波数領域リソース位置割り当て情報を表示するためだけであるかどうかを判断し、肯定である場合、ステップ４０４を実行し、否定である場合ステップ４０５を実行する。
【００５３】
ステップ４０４において、マルチポート周波数領域リソース位置割り当て情報の総ビット数がシングルバンドル上り周波数領域リソース位置割り当て情報を表示することに用いられるだけである場合、マルチポート周波数領域リソース位置割り当て情報の総ビット数は、
【化５２】
0005503811.tif 000054
である。
【００５４】
ステップ４０５において、マルチポート周波数領域リソース位置割り当て情報の総ビット数がシングルバンドル上り周波数領域リソース位置割り当て情報を表示するためだけではなく、更により多くの情報のビットを必要として他の情報を表示する場合（例えば、マルチポート周波数領域リソース位置割り当て情報ビット数がシングルバンドル上り周波数領域リソース位置割り当て情報を表示する以外、より多くのビットを必要して周波数ホッピング情報を表示するなど）、マルチポート周波数領域リソース位置割り当て情報の総ビット数は、
【化５３】
0005503811.tif 000055
であり、ここで、ｎ>２、ｎの具体的な値がシステムの必要に応じて決められ、例えば、システム帯域幅が１０Mより小さいシステムにおいて周波数ホッピング機能をスタートする場合、ｎ=３。システム帯域幅が１０Mより大きいシステムにおいて周波数ホッピング機能をスタートする場合、ｎ=４。
【００５５】
ステップ４０６において、基地局は、システム帯域幅に応じて、シングルバンドル上り周波数領域リソース位置割り当て情報のビット数が
【化５４】
0005503811.tif 000056
であることを確定する。
【００５６】
シングルバンドル上り周波数領域リソース位置割り当て情報のビットを、マルチポート周波数領域リソース位置割り当て情報の総ビットの最下位ビットのステータスビットに合わせて配置し、又はマルチポート周波数領域リソース位置割り当て情報の総ビットの最上位ビットのステータスビットに合わせて配置する。具体的な位置は、基地局及び端末により共同で約束される。
【００５７】
上記実施形態において、
【化５５】
0005503811.tif 000057
即ち順列と組み合わせの計算であり、
【化５６】
0005503811.tif 000058
例えば、
【化５７】
0005503811.tif 000059
である場合、
【化５８】
0005503811.tif 000060
【００５８】
上記実施形態は、同様にマルチバンドル上り周波数領域リソース位置割り当て情報の表示にも適用される。違いとして、マルチバンドル上り周波数領域リソース位置割り当て情報が実際に占めるビット数の計算方式がシングルバンドル上り周波数領域リソース位置割り当て情報が実際に占めるビット数と異なっている。マルチバンドル上り周波数領域リソース位置割り当て情報が実際に占めるビット数の計算は、従来技術を用いるので、ここで贅言しない。
【００５９】
ＬＴＥ上りシステム帯域幅が１００ＲＢであるシステムの場合、本発明は、
【化５９】
0005503811.tif 000061
のビットを用いてシングルバンドル上り周波数領域リソース位置割り当て情報を表示するが、従来技術において、
【化６０】
0005503811.tif 000062
のビットを用いてシングルバンドル上り周波数領域リソース位置割り当て情報を表示する。この帯域幅でのシングルバンドル上り周波数領域リソース位置割り当て情報のために必要な最大ビット数は、１３ビットである。
【００６０】
ＬＴＥ上りシステム帯域幅が６ＲＢであるシステムの場合、本発明は、
【化６１】
0005503811.tif 000063
のビットを用いてシングルバンドル上り周波数領域リソース位置割り当て情報を表示するが、従来技術において、
【化６２】
0005503811.tif 000064
のビットを用いてシングルバンドル上り周波数領域リソース位置割り当て情報を表示する。この帯域幅でのシングルバンドル上り周波数領域リソース位置割り当て情報のために必要な最大のビット数は、５ビットである。
【００６１】
上記の２つの例から分かるように、本発明に提供されているマルチポート周波数領域リソース位置割り当て情報の総ビット数は、シングルバンドル上り周波数領域リソース位置割り当て情報の需要を十分に満たす。
【００６２】
上りシステム帯域幅が１２ＲＢであるシステムの場合、本発明は、
【化６３】
0005503811.tif 000065
のビットを用いてシングルバンドル上り周波数領域リソース位置割り当て情報を表示するが、従来技術において、
【化６４】
0005503811.tif 000066
のビットを用いてシングルバンドル上り周波数領域リソース位置割り当て情報を表示する。この帯域幅において、シングルバンドル上り周波数領域リソース位置割り当て情報のために必要な最大のビット数は、７ビットである。これより分かるように、従来技術を採用すれば、シングルバンドル上り周波数領域リソース位置割り当て情報の需要を満たすことができないが、本発明に提案されている技術によれば、この問題を効果的に解決できる。
【００６３】
上記の比較により分かるように、本発明の方法は、ＬＴＥシステムにおいて、マルチポートで、上り周波数領域リソースがシングルバンドル位置割り当てを行われるとき、マルチポート周波数領域リソース位置割り当て情報のビット数が不足している問題を効果的に解決できる。
【００６４】
上記の方法を実現するために、本発明に係るマルチポート周波数領域リソース位置割り当て情報の表示装置は、図５に示すように、
システム帯域幅に応じて、マルチポート周波数領域リソース位置割り当て情報の総ビット数を確定することに用いられる第１の確定モジュールと、
システム帯域幅に応じて、上り周波数領域リソース位置割り当て情報のビット数を確定することに用いられる第２の確定モジュールと、
上り周波数領域リソース位置割り当て情報のビットを、マルチポート周波数領域リソース位置割り当て情報の総ビットの最下位ビットのステータスビットに合わせて配置し、又はマルチポート周波数領域リソース位置割り当て情報の総ビットの最上位ビットのステータスビットに合わせて配置することに用いられる表示モジュールとを含む。
【００６５】
ここで、第１の確定モジュールは、さらに、取得されたシステム帯域幅
【化６５】
0005503811.tif 000067
が集合｛１１ＲＢ、１２ＲＢ、１６ＲＢ、２７ＲＢ、３２ＲＢ、３３ＲＢ｝に属する場合、システム帯域幅に応じて、マルチポート周波数領域リソース位置割り当て情報の総ビット数が
【化６６】
0005503811.tif 000068
であることを確定することに用いられる。
【００６６】
第１の確定モジュールは、さらに、取得されたシステム帯域幅
【化６７】
0005503811.tif 000069
が集合｛１１ＲＢ、１２ＲＢ、１６ＲＢ、２７ＲＢ、３２ＲＢ、３３ＲＢ｝に属しない場合、システム帯域幅に応じて、マルチポート周波数領域リソース位置割り当て情報の総ビット数が
【化６８】
0005503811.tif 000070
であることを確定することに用いられ、ＰはＲＢＧのサイズである。
【００６７】
第１の確定モジュールは、さらに、マルチポート周波数領域リソース位置割り当て情報の総ビット数が上り周波数領域リソース位置割り当て情報を表示することに用いられるだけである場合、システム帯域幅に応じて、マルチポート周波数領域リソース位置割り当て情報の総ビット数が
【化６９】
0005503811.tif 000071
であることを確定することに用いられ、ＰはＲＢＧのサイズで、
【化７０】
0005503811.tif 000072
はシステム帯域幅である。
【００６８】
第１の確定モジュールは、さらに、マルチポート周波数領域リソース位置割り当て情報の総ビット数が上り周波数領域リソース位置割り当て情報を表示することに用いられるだけである場合、システム帯域幅に応じて、マルチポート周波数領域リソース位置割り当て情報の総ビット数が
【化７１】
0005503811.tif 000073
であることを確定することに用いられる。
【００６９】
第１の確定モジュールは、さらに、マルチポート周波数領域リソース位置割り当て情報の総ビット数が上り周波数領域リソース位置割り当て情報を表示することに用いられるだけではない場合、システム帯域幅に応じて、マルチポート上り周波数領域リソース位置割り当て情報の総ビット数が
【化７２】
0005503811.tif 000074
であることを確定することに用いられ、
ＰはＲＢＧのサイズで、
【化７３】
0005503811.tif 000075
はシステム帯域幅であり、n＞２である。
【００７０】
第２の確定モジュールは、さらに、システム帯域幅に応じて、シングルバンドル上り周波数領域リソース位置割り当て情報のビット数が
【化７４】
0005503811.tif 000076
であることを確定することに用いられ、
【化７５】
0005503811.tif 000077
がシステム帯域幅である。
【００７１】
本発明に係る上記方法が適用されている端末は、
ネットワーク側から送信されたマルチポート周波数領域リソース位置割り当て情報を受信することに用いられる受信モジュールと、
システム帯域幅に応じて、マルチポート周波数領域リソース位置割り当て情報の総ビット数を確定することに用いられる第１の復調モジュールと、
システム帯域幅に応じて、上り周波数領域リソース位置割り当て情報のビット数を確定することに用いられる第２の復調モジュールと、
上り周波数領域リソース位置割り当て情報のビットを、マルチポート周波数領域リソース位置割り当て情報の総ビットの最下位ビットのステータスビットに合わせ、又はマルチポート周波数領域リソース位置割り当て情報の総ビットの最上位ビットのステータスビットに合わせる方式に従って、受信モジュールにより受信されたマルチポート周波数領域リソース位置割り当て情報から上り周波数領域リソース位置割り当て情報を取得することに用いられる第３の復調モジュールとを含む。
【００７２】
具体的には、第３の復調モジュールは、さらに、上り周波数領域リソース位置割り当て情報のビットを、マルチポート周波数領域リソース位置割り当て情報の総ビットの最下位ビットのステータスビットに合わせる方式に従って、マルチポート周波数領域リソース位置割り当て情報の総ビット数のうちの最下位ビット側から、上り周波数領域リソース位置割り当て情報のビット数に応じて、上り周波数領域リソース位置割り当て情報を取得することに用いられる。
【００７３】
第３の復調モジュールは、さらに、上り周波数領域リソース位置割り当て情報のビットを、マルチポート周波数領域リソース位置割り当て情報の総ビットの最上位ビットのステータスビットに合わせる方式に従って、マルチポート周波数領域リソース位置割り当て情報の総ビット数のうちの最上位ビット側から、上り周波数領域リソース位置割り当て情報のビット数に応じて、上り周波数領域リソース位置割り当て情報を取得することに用いられる。
【００７４】
マルチポート周波数領域リソース位置割り当て情報の総ビット数の確定について、具体的には、
第１の復調モジュールは、さらに、システム帯域幅
【化７６】
0005503811.tif 000078
が集合｛１１ＲＢ、１２ＲＢ、１６ＲＢ、２７ＲＢ、３２ＲＢ、３３ＲＢ｝に属する場合、システム帯域幅に応じて、マルチポート周波数領域リソース位置割り当て情報の総ビット数が
【化７７】
0005503811.tif 000079
であることを確定することに用いられ、
第１の復調モジュールは、さらに、システム帯域幅
【化７８】
0005503811.tif 000080
が集合｛１１ＲＢ、１２ＲＢ、１６ＲＢ、２７ＲＢ、３２ＲＢ、３３ＲＢ｝に属しない場合、システム帯域幅に応じて、マルチポート周波数領域リソース位置割り当て情報の総ビット数が
【化７９】
0005503811.tif 000081
であることを確定することに用いられ、ＰがＲＢＧのサイズである。
【００７５】
第１の復調モジュールは、さらに、マルチポート周波数領域リソース位置割り当て情報の総ビット数が上り周波数領域リソース位置割り当て情報を表示することに用いられるだけである場合、システム帯域幅に応じて、マルチポート周波数領域リソース位置割り当て情報の総ビット数が
【化８０】
0005503811.tif 000082
であることを確定することに用いられ、ＰはＲＢＧのサイズで、
【化８１】
0005503811.tif 000083
はシステム帯域幅である。
【００７６】
第１の復調モジュールは、さらに、マルチポート周波数領域リソース位置割り当て情報の総ビット数が上り周波数領域リソース位置割り当て情報を表示することに用いられるだけである場合、システム帯域幅に応じて、マルチポート周波数領域リソース位置割り当て情報の総ビット数が
【化８２】
0005503811.tif 000084
であることを確定することに用いられる。
【００７７】
第１の復調モジュールは、さらに、マルチポート周波数領域リソース位置割り当て情報の総ビット数が上り周波数領域リソース位置割り当て情報を表示することに用いられるだけではない場合、システム帯域幅に応じて、マルチポート周波数領域リソース位置割り当て情報の総ビット数が
【化８３】
0005503811.tif 000085
であることを確定することに用いられ、
ＰはＲＢＧのサイズで、
【化８４】
0005503811.tif 000086
はシステム帯域幅であり、n＞２である。
【００７８】
シングルバンドル上り周波数領域リソース位置割り当て情報のビット数の確定について、具体的には、
第２の復調モジュールは、さらに、システム帯域幅に応じて、シングルバンドル上り周波数領域リソース位置割り当て情報のビット数が
【化８５】
0005503811.tif 000087
であることを確定することに用いられ、
【化８６】
0005503811.tif 000088
はシステム帯域幅である。
【００７９】
上記の技術案によって、以下、例を挙げて端末の操作を説明する。
１、ネットワーク側から端末へマルチポート周波数領域リソース位置割り当て情報「０１１１１」を送信したと仮定している。
２、ネットワーク側から送信された当該情報を受信した後、端末は、「０１１１１」を解析する必要があって、まずマルチポート周波数領域リソース位置割り当て情報の総ビット数が５ビットで、シングルバンドル上り周波数領域リソース位置割り当て情報のビット数が４ビットであることを確定する必要がある。
【００８０】
３、端末とネットワーク側により約束された合わせ方式によって解析する。当該実施形態では、シングルバンドル上り周波数領域リソース位置割り当て情報のビットがマルチポート周波数領域リソース位置割り当て情報の総ビットの最下位ビットのステータスビットに合わせる場合、端末は、「０１１１１」の最下位ビット側から、４ビットに従ってシングルバンドル上り周波数領域リソース位置割り当て情報が「１１１１」であることを解析できる。
【００８１】
以上は、本発明の最適的な実施形態に過ぎず、本発明の保護範囲を限定することに用いられるものではない。
【図１】
0005503811.tif 000122
【図２】
0005503811.tif 000123
【図３】
0005503811.tif 000124
【図４】
0005503811.tif 000125
【図５】
0005503811.tif 000126